(57)【特許請求の範囲】
【請求項１】
一次側商用電圧を３６Ｖ以下の二次電圧に変換する変圧器を内蔵し、外構電気機器に給電するための外構用電源装置であって、
上面及び下面に開口部を備えるとともに側壁部に配線用の挿通孔を備えて箱枠状に形成され、地表面から凹設した収容穴に挿入配置される埋設枠部と、
上面に開口部を備えて箱状に形成され、内部に前記変圧器を収容する変圧器収容部と、
前記変圧器収容部の上面に着脱可能に取り付けられて前記変圧器収容部の内部を密閉し、前記変圧器収容部とともに本体箱を構成する変圧器収容蓋部とを備え、
地中に埋設設置して前記外構電気機器に給電するように構成され、
前記変圧器が、前記変圧器収容部および前記埋設枠部の二重構造の内部に収容されていることを特徴とする外構用電源装置。
【請求項２】
請求項１記載の外構用電源装置において、
前記変圧器収容蓋部の上方に着脱可能に重ねて配設される化粧蓋部を備えている外構用電源装置。
【請求項３】
請求項１または請求項２に記載の外構用電源装置において、
前記埋設枠部に前記変圧器収容部が支持されて位置決めされた状態において、前記変圧器収容部の下面と、前記埋設枠部の下端部との間に所定の隙間が形成されている外構用電源装置。
【請求項４】
請求項１〜請求項３のいずれか一項に記載の外構用電源装置において、
前記埋設枠部および前記変圧器収容部には、それぞれフランジ部が形成され、
前記埋設枠部の前記フランジ部に、前記変圧器収容部の前記フランジ部を係合させることで、前記埋設枠部に前記変圧器収容部が支持されて位置決め固定可能に構成されている外構用電源装置。
【発明の詳細な説明】
【技術分野】
【０００１】
本発明は、一次側商用電圧を外構電気機器用の３６Ｖ以下にして外構電気機器に給電するための外構用電源装置に関する。
【背景技術】
【０００２】
従来、住宅等の建物の外構には、門灯、表札灯、植栽灯、足元灯等の屋外照明装置、宅配ボックス、電気錠、ドアホン、電動ガレージ扉などの各種外構電気機器が設けられている。
【０００３】
また、変圧器（トランス電源）を備えた外構用電源装置を用い、一次側商用電圧、例えば一般家庭用ＡＣ１００Ｖを外構電気機器の仕様に対応した３６Ｖ以下の例えばＤＣ１２Ｖに変換して給電するようにしている（例えば、特許文献１参照）。
【先行技術文献】
【特許文献】
【０００４】
【特許文献１】特開平０９−１８２２８９号公報
【発明の概要】
【発明が解決しようとする課題】
【０００５】
ここで、上記のような各種外構電気機器に対する電気工事は、例えば一般家庭用ＡＣ１００Ｖ電源（一次側商用電圧）に電気配線を接続するため、電気工事士の資格者が専門担当して行っている。また、このとき、一般家庭用ＡＣ１００Ｖ電源に壁掛けタイプの外構用電源装置を地上で配線接続し、外構用電源装置と複数の外構電気機器をそれぞれ配線接続して、各種外構電気機器の電源を確保するようにしている。
【０００６】
一方、門灯、表札灯、植栽灯、足元灯等の屋外照明装置、宅配ボックス、電気錠、ドアホン、電動ガレージ扉などの３６Ｖ以下、例えばＤＣ１２Ｖの各種外構電気機器が離れて遠方にある場合には、１００Ｖ電源から外構用電源装置の配線を長くし、壁掛けタイプの外構用電源装置を外構電気機器側に近づけて設置することが必要になる。このため、壁掛けタイプの外構用電源装置によって外構における見栄えの悪化を招いたり、その設置位置の確保に困難が生じるケースがあった。
【０００７】
さらに、外構用電源装置から複数の外構電気機器への配線接続を電気工事士が専門担当しているため、電気工事士による電気工事の作業工程に、例えば造園、屋外通路施工、門扉・ガレージ等の施工などの各種工事をそれぞれ行う施工業者の作業工程を合せる必要が生じ、工事の取り合いなどによる複雑化、ひいては工期の長期化を招くという不都合が生じていた。
【０００８】
本発明は、上記事情に鑑み、設置位置の自由度を高めるとともに電気工事士の資格者以外の作業者が外構電気機器への配線作業を行うことを可能にする外構用電源装置を提供することを目的とする。
【課題を解決するための手段】
【０００９】
上記の目的を達するために、この発明は以下の手段を提供している。
【００１０】
本発明の外構用電源装置は、一次側商用電圧を３６Ｖ以下の二次電圧に変換する変圧器を内蔵し、外構電気機器に給電するための外構用電源装置であって、上面及び下面に開口部を備えるとともに側壁部に配線用の挿通孔を備えて箱枠状に形成され、地表面から凹設した収容穴に挿入配置される埋設枠部と、上面に開口部を備えて箱状に形成され、内部に前記変圧器を収容する変圧器収容部と、前記変圧器収容部の上面に着脱可能に取り付けられて前記変圧器収容部の内部を密閉し、前記変圧器収容部とともに本体箱を構成する変圧器収容蓋部とを備え、地中に埋設設置して前記外構電気機器に給電するように構成され、前記変圧器が、前記変圧器収容部および前記埋設枠部の二重構造の内部に収容されていることを特徴とする。
【００１１】
この発明においては、例えば、地盤を掘削するなどして地表面（基準面）から凹設した収容穴の底部に石材を敷き詰めなどし、この収容穴に埋設枠部を挿入して配設し、一般用電源に接続した変圧器を収容する変圧器収容部に変圧器収容蓋部を取り付けて、所望の強度、耐水性等を確保した本体箱を埋設枠部に挿入しつつ支持させて設置する。
【００１２】
これにより、外構用電源装置を地中に埋設設置することができる。
また、変圧器収容部に変圧器収容蓋部を取り付け、所望の強度、耐水性等を確保する本体箱内に変圧器を収容するところまでを電気工事士が行い、変圧器から３６Ｖ以下で各種外構電気機器に給電するための配線作業を電気工事士以外の作業者によって行うことが可能になる。
【００１３】
また、本発明の外構用電源装置においては、前記変圧器収容蓋部の上方に着脱可能に重ねて配設される化粧蓋部を備えていることが望ましい。
【００１４】
この発明においては、変圧器収容蓋部（本体箱）の上方に着脱可能に重ねて化粧蓋部が配設されることにより、この交換可能な化粧蓋部によって地中に埋設設置される外構用電源装置の見栄えをよくすることができ、さらに景観の向上を図ることが可能になる。
【００１５】
また、変圧器を収容する本体箱だけでなく、化粧蓋部を設けることによってさらなる絶縁性の向上を図ることが可能になる。
また、本発明の外構用電源装置においては、前記埋設枠部に前記変圧器収容部が支持されて位置決めされた状態において、前記変圧器収容部の下面と、前記埋設枠部の下端部との間に所定の隙間が形成されていてもよい。
さらに、本発明の外構用電源装置においては、前記埋設枠部および前記変圧器収容部には、それぞれフランジ部が形成され、前記埋設枠部の前記フランジ部に、前記変圧器収容部の前記フランジ部を係合させることで、前記埋設枠部に前記変圧器収容部が支持されて位置決め固定可能に構成されていてもよい。
【発明の効果】
【００１６】
本発明の外構用電源装置においては、地中に埋設設置されるため、その設置位置の自由度を高めることができる。
【００１７】
また、外構用電源装置、ひいては一般商用電源と変圧器を配線接続し、この変圧器を収容する変圧器収容部に変圧器収容蓋部を取り付けて、所定の強度を有する本体箱の耐水性を担保する部分まで電気工事士の資格者が行い、外構用電源装置から各種外構電気機器への配線作業を電気工事士以外の作業者によって行うことが可能になる。
【００１８】
よって、本発明の外構用電源装置を用いることで、見栄えの悪化を防止することができるとともに、電気工事士による電気工事の作業工程に、造園、屋外通路施工、門扉・ガレージ等の施工などの各種工事の施工業者の作業工程を合せる必要がなくなり、従来のように工事の取り合いなどによる複雑化、工期の長期化を招くという不都合を解消することが可能になる。
【図面の簡単な説明】
【００１９】
【図１】本発明の一実施形態に係る外構用電源装置を示す斜視図である。
【図２】本発明の一実施形態に係る外構用電源装置を示す分解斜視図である。
【図３】本発明の一実施形態に係る外構用電源装置を示す正面図である。
【図４】図３のＸ１−Ｘ１線矢視図である。
【図５】図３のＸ２−Ｘ２線矢視図である。
【図６】図３のＸ３−Ｘ３線矢視図である。
【図７】図３のＸ４−Ｘ４線矢視図である。
【図８】本発明の一実施形態に係る外構用電源装置を地中に設置した状態を示す断面図である。
【発明を実施するための形態】
【００２０】
以下、図１から図８を参照し、本発明の一実施形態に係る外構用電源装置について説明する。
【００２１】
ここで、本実施形態は、例えば、ＡＣ１００Ｖなどの一般商用電圧から、住宅などの建物の外構部に設けられる門灯、表札灯、植栽灯、足元灯等の屋外照明装置、宅配ボックス、電気錠、ドアホン、電動ガレージ扉などの３６Ｖ以下（ＤＣ１２Ｖなど）に変換して各種外構電気機器に給電するための外構用電源装置に関するものである。
【００２２】
具体的に、本実施形態の外構用電源装置Ａは、図１から図７に示すように、埋設枠部１と変圧器収容部２と変圧器収容蓋部３と化粧蓋部４とを備えて構成されている。
【００２３】
埋設枠部１は、例えば樹脂製であり、上面に開口部を備えた箱枠状に形成されている。また、埋設枠部１は、上端部に、外側に突出するとともに突出方向先端側が上方に屈曲して周方向に繋がるフランジ部５を備えて形成されている。さらに、埋設枠部１は、側壁部に内面から外面に貫通する配線用の挿通孔６、アンカーボルト挿通用の挿通孔７がそれぞれ形成されている。また、側壁部には、外面から外側に突出し、フランジ部５から下端側に延びるリブ８が複数設けられている。
【００２４】
そして、埋設枠部１は、図８に示すように、地盤Ｇを掘削するなどして地表面（基準面）から凹設した収容穴の底部に石材９を敷き詰めた後、収容穴に挿入して配設される。
なお、石材９は、排水（透水）機能や緩衝機能を持たせるためのものである。
【００２５】
また、埋設枠部１の底面には、１００Ｖ電源から埋設枠部内を通じて変圧器１０の入力ポート１０ａに配線１１を接続するための入力配線孔１２と、変圧器１０で１２Ｖ等に変圧し、変圧器１０の出力ポート１０ｂに接続した配線１３で埋設枠部１内を通じて外部の各種外構電気機器に給電するための出力配線孔１４とが設けられている。
【００２６】
変圧器収容部２は、例えば金属製であり、図１から図８に示すように、上面に開口部を備えた箱状に形成されている。また、変圧器収容部２は、上端部に、外側に突出するとともに突出方向先端側が上方に屈曲し周方向に繋がるフランジ部１５を備えて形成されている。変圧器収容部２のフランジ部１５は、埋設枠部１のフランジ部５の内側に配されて係合する大きさで形成されている。
【００２７】
変圧器収容部２には、その内部に、底面から上方に突出する電源台座１６が一体形成されており、この電源台座１６上に変圧器（トランス電源）１０が載置して固設されている。変圧器１０は、一般家庭用のＡＣ１００Ｖ電源などの一般商用電源に接続する配線１１、各種外構電気機器に接続する配線１３が接続されている。なお、これら配線１１、１３の接続ポート（入力ポート１０ａ、出力ポート１０ｂ）が変圧器収容部２に形成保持されていてもよい。
【００２８】
このように構成した変圧器収容部２は、各配線１１、１３を埋設枠部１の側壁部に形成された配線用の挿通孔６や底面の配線孔１２、１４に挿通させるなどして埋設枠部１内に挿入、挿出し、埋設枠部１と互いのフランジ部５、１５同士を係合させて配設される。
【００２９】
このとき、埋設枠部１とフランジ部５、１５を係合させることで、埋設枠部１に変圧器収容部２が支持されて位置決め固定される。また、変圧器収容部２を埋設枠部１に挿入支持させた状態で、変圧器収容部２の下面と、埋設枠部１の下端部、さらに石材９との上下の間に所定の隙間ができるように構成されている。
【００３０】
変圧器収容蓋部３は、例えば金属製であり、略平板状に形成されている。変圧器収容蓋部３は、変圧器収容部２のフランジ部１５に係合させて変圧器収容部２の上面の開口部を閉塞させるように配設される。また、変圧器収容部２のフランジ部１５にビス止めして固定される。変圧器収容蓋部３を固定して配設することにより、変圧器１０を収容した変圧器収容部２の内部が密閉され、水が侵入することのない所望の耐水性が確保（担保）される。
【００３１】
化粧蓋部４は、例えば樹脂製であり、変圧器収容蓋部３の上方に着脱可能に重ねて配設される。これにより、地表面に上面を露出させた状態で外構用電源装置Ａを地中に埋設した際の見栄えを化粧蓋部４によってよくすることができる。また、樹脂製の化粧蓋部４を用いることにより、絶縁性を確保することができる。さらに、化粧蓋部４は容易に交換でき、メンテナンス性をよくすることができる。
【００３２】
上記構成からなる本実施形態の外構用電源装置Ａにおいては、地盤を掘削するなどして形成した収容穴に石材９を敷き詰め、埋設枠部１を挿入して配置する。
このとき、埋設枠部１のアンカーボルト挿通孔７にアンカーボルト（ボルト／ナット：固定手段）１７を取り付ける。これにより、埋設枠部１ひいては外構用電源装置Ａが地盤Ｇ内に配置された状態で確実強固に保持できる。
【００３３】
次に、変圧器１０を収容した変圧器収容部２に変圧器収容蓋部３を取り付け、変圧器収容部２と変圧器収容蓋部３からなる本体箱２０内に変圧器１０を密閉して収容し、所望の強度、耐水性等を確保した状態の本体箱２０を埋設枠部１に挿入して支持させ、所定位置に配設する。さらに、本体箱２０の上面に化粧蓋部４を設置する。
これにより、外構用電源装置Ａひいては変圧器１０を地中に埋設して設置することができる。
【００３４】
また、本実施形態の外構用電源装置Ａにおいては、変圧器収容部２に変圧器収容蓋部３を取り付け、所望の強度、耐水性等を確保する本体箱２０内に変圧器１０を収容するところまでを電気工事士が行い、変圧器１０から３６Ｖ以下で各種外構電気機器に給電するための配線作業を電気工事士以外の作業者によって行うことが可能になる。
【００３５】
さらに、変圧器収容蓋部３（本体箱２０）の上方に着脱可能に重ねて化粧蓋部４が配設されることにより、この交換可能な化粧蓋部４によって地中に埋設設置される外構用電源装置Ａの見栄えをよくすることができ、さらに景観の向上を図ることが可能になる。
【００３６】
また、変圧器１０を収容する本体箱２０だけでなく、化粧蓋部４を設けることによってさらなる絶縁性の向上を図ることが可能になる。
【００３７】
よって、本実施形態の外構用電源装置Ａにおいては、地中に埋設設置されるため、その設置位置の自由度を高めることができる。
【００３８】
また、外構用電源装置Ａ、ひいては一般商用電源と変圧器１０を配線接続し、この変圧器１０を収容する変圧器収容部２に変圧器収容蓋部３を取り付けて、所定の強度を有する本体箱２０の耐水性を担保する部分まで電気工事士の資格者が行い、外構用電源装置Ａから各種外構電気機器への配線作業を電気工事士以外の作業者によって行うことが可能になる。
【００３９】
そして、本実施形態の外構用電源装置Ａを用いることで、見栄えの悪化を防止することができるとともに、電気工事士による電気工事の作業工程に、造園、屋外通路施工、門扉・ガレージ等の施工などの各種工事を行う施工業者の作業工程を合せる必要がなくなり、従来のように工事の取り合いなどによる複雑化、工期の長期化を招くという不都合を解消することが可能になる。
【００４０】
以上、本発明に係る外構用電源装置の一実施形態について説明したが、本発明は上記の一実施形態に限定されるものではなく、その趣旨を逸脱しない範囲で適宜変更可能である。
【符号の説明】
【００４１】
１      埋設枠部
２      変圧器収容部
３      変圧器収容蓋部
４      化粧蓋部
５      フランジ部
６      挿通孔
７      挿通孔
８      リブ
９      砕石
１０    変圧器（トランス電源）
１０ａ  入力ポート
１１    配線
１２    配線孔
１３    配線
１４    配線孔
１５    フランジ部
１６    電源台座
１７    アンカーボルト
２０    本体箱
Ａ      外構用電源装置
Ｇ      地盤
【図１】
0006603138.tif 000002
【図２】
0006603138.tif 000003
【図３】
0006603138.tif 000004
【図４】
0006603138.tif 000005
【図５】
0006603138.tif 000006
【図６】
0006603138.tif 000007
【図７】
0006603138.tif 000008
【図８】
0006603138.tif 000009